(57)【特許請求の範囲】
【請求項１】
引戸１側に取り付けられたラッチ受け部材３と、このラッチ受け部材の係合部４に係脱するラッチ４０を含む施解錠機構Ｘを内蔵し、かつ、戸枠５側に設けられた錠ケース７とから成る引戸用電気錠に於いて、前記施解錠機構Ｘは、駆動源の作動杆２１の伸縮動により回動するように錠ケース７に軸支された回動ロック部材２５と、通電時に前記作動杆の伸張に伴いロック方向に回転する回動ロック部材２５のロックアーム部３１が垂直面４３に当たることにより引戸１を開く方向Ａの力に対して回転が阻止される反面、前記引戸１を閉鎖方向Ｂに閉じる場合には、錠ケース７の垂直方向のガイド長孔１１及び垂直ガイド板１２を介して、かつ、バネ部材５２のバネ力に抗して錠ケース７内に上下方向へと後退動するラッチ４０を備え、一方、非通電時に作動杆の収縮に伴い回動ロック部材２５がロック解除の方向に回転し、この時引戸１を開く方向Ａへ引くと、錠ケース７のフロントに対して直交すると共に、ラッチ受け部材の係合部４に係合する垂直面４３を有するラッチ４０は、前記ガイド長孔１１に係合するように前記垂直面４３の後退側に設けた一対の突起軸４８を中心にして逃げ方向へ回転することを特徴とする引戸用電気錠。
【請求項２】
請求項１に於いて、ラッチ４０は、ラッチ受け部材３の係合部４に係止する垂直面４３、引戸１の縁部と摺接するテーパー状摺接面４４、押し圧片が圧接する切欠凹所内の水平受け面４５、この水平受け面４５と垂直面４３の後退側とを結ぶ弧状面４６をそれぞれ連続的に有するラッチ本体４１と、このラッチ本体４１の錠ケース内に位置する後退部の側面に固定的に設けられたラッチストッパー４２とから成ることを特徴とする引戸用電気錠。
【請求項３】
請求項２に於いて、回動ロック部材２５のロックアーム部３１には、ラッチ４０の垂直面４３の後退側と当接する水平ローラ３２が設けられていることを特徴とする引戸用電気錠。
【請求項４】
請求項１に於いて、係合部４は、引戸１が戸枠５の縦枠８に対して閉じた時にラッチが係合する第１の係合凹所４ａと、引戸１が戸枠５の縦枠８から所望の開放空間９を設定することができるように離れた時にラッチが係合する第２の係合凹所４ｂとから成ることを特徴とする引戸用電気錠。
【請求項５】
請求項４に於いて、第２の係合凹所４ｂは、開放空間９を調整することができるように第１の係合凹所４ａよりも長く設定されていることを特徴とする引戸用電気錠。
【請求項６】
引戸１側に取り付けられたラッチ受け部材３と、このラッチ受け部材の係合部４に係脱するラッチ４０を含む施解錠機構Ｘを内蔵し、かつ、戸枠５側に設けられた錠ケース７とから成る引戸用電気錠に於いて、前記施解錠機構Ｘは、駆動源の作動杆２１の伸縮動により回動するように錠ケース７に軸支された回動ロック部材２５と、通電時に前記作動杆の伸張に伴いロック方向に回転する回動ロック部材２５のロックアーム部３１が垂直面４３に当たることにより引戸１を開く方向Ａの力に対して回転が阻止される反面、前記引戸１を閉鎖方向Ｂに閉じる場合には、錠ケース７の垂直方向のガイド長孔１１及び垂直ガイド板１２を介して、かつ、バネ部材５２のバネ力に抗して錠ケース７内に上下方向へと後退動するラッチ４０と、このラッチ４０が後退動する時に前記バネ部材５２のバネ力に抗して回転するように錠ケースの枢軸５１に軸支されたラッチ用押し圧片５０を備え、一方、非通電時に作動杆の収縮に伴い回動ロック部材２５がロック解除の方向に回転し、この時引戸１を開く方向Ａへ引くと、錠ケース７のフロントに対して直交すると共に、ラッチ受け部材の係合部４に係合する垂直面４３を有するラッチ４０は、前記ガイド長孔１１に係合するように前記垂直面４３の後退側に設けた一対の突起軸４８を中心にして逃げ方向へ回転することを特徴とする引戸用電気錠。
【請求項７】
請求項６に於にて、ラッチ用押し圧片５０は、基部が第２の枢軸５１に枢支されたアーム部５０ａと、このアーム部５０ａの自由端部に形成された板状の押し圧部５０ｂとから成ることを特徴とする引戸用電気錠。
【発明の詳細な説明】
【０００１】
【発明の属する技術分野】
本発明は引戸用電気錠に関する。本発明は、例えば特別養護老人ホームや病院などの引戸用電気錠に適する。
【０００２】
【従来の技術】
従来、この種の電気錠としては実開昭５１−１８８９３号公報に一例が開示されている。この公報には、扉の上端部に取り付けたラッチ受座と、このラッチ受座の係合凹所に係脱するラッチを含む施解錠機構を内蔵し、かつ、は戸枠の上枠内に設けられた錠箱が示されている。
【０００３】
しかして、前記施解錠機構の基本的な各部材は、比較的長い錠箱内に水平方向に設けられたソレノイドと、このソレノイドの作動子の先端部に固定的に設けられたロック部材と、ソレノイドが非通電時の場合に前記作動子が伸張し、前記ロック部材に時計方向への回転が阻止され、かつ、ラッチ受座の係合凹所との係合を介して扉の開放方向への移動の障害となるラッチと、このラッチを常時突出方向に付勢するバネとから成る。そして、この施解錠機構のラッチは、ソレノイドが通電の時にその作動子が収縮すると共に、ロック部材がラッチの係合部から離れ、扉の開放により回転する。
【０００４】
しかして、この扉用電気錠はソレノイドが非通電時の場合にラッチの回転がロック部材により阻止されるために、特別養護老人ホームや病院などの引戸用電気錠には適さない。一般に特別養護老人ホームや病院などの非常口用電気錠は、普段は施錠状態にし、一方、火災、緊急時等の非常時には直ちに解錠状態にすべきである。つまり、非常用の錠箱の施解錠機構は、ソレノイドが通電の場合にラッチの回転がロック部材により阻止され、一方、ソレノイドが非通電の場合にラッチの回転が許容される構成が望ましい。
【０００５】
けだし、非常口を普段開放可能な状態にしておくことは、特に惚け老人や病人に対して管理上問題があると共に、外部からの侵入（泥棒）も有り得え、反面、非常時には施解錠機構を直ちに施錠状態から解錠状態にし、惚け老人や病人を迅速に安全な場所へと避難させるべきであるからである。
【０００６】
また特別養護老人ホームや病院は非常口と言っても、管理上の観点から常に扉、特に引戸を完全に閉じていなければならないと言う訳ではなく、管理上の問題点を解消できるのであれば、換気の目的から、人が通ることができない開放空間を設定した状態で引戸をロックでき、かつ、所望する場合はソレノイドが通電状態であっても任意に引戸を閉鎖できればより望ましい。
【０００７】
【発明が解決しようとする課題】
本発明は以上のような従来技術に鑑み、第１の目的は施解錠機構を普段は施錠状態に保ち、一方、非常時には施解錠機構を直ちに解錠状態にし、人を迅速に安全な場所へと避難させることができる引戸用電気錠を得ることである。第２の目的は錠ケースのスペースを有効的に活用できるように施解錠機構を構成する部品点数を極力少なくすることである。第３の目的は施解錠機構のラッチの回動並びに後退動をスムースにできることである。第４の目的は換気の目的から、人が通ることができない開放空間を設定した状態でも引戸をロックでき、かつ、所望する場合はソレノイドが通電の場合に於いて、直ちに引戸を閉鎖できることである。
【０００８】
【課題を解決するための手段】
本発明の引戸用電気錠は、引戸１側に取り付けられたラッチ受け部材３と、このラッチ受け部材の係合部４に係脱するラッチ４０を含む施解錠機構Ｘを内蔵し、かつ、戸枠５側に設けられた錠ケース７とから成る引戸用電気錠に於いて、前記施解錠機構Ｘは、駆動源の作動杆２１の伸縮動により回動するように錠ケース７に軸支された回動ロック部材２５と、通電時に前記作動杆の伸張に伴いロック方向に回転する回動ロック部材２５のロックアーム部３１が垂直面４３に当たることにより引戸１を開く方向Ａの力に対して回転が阻止される反面、前記引戸１を閉鎖方向Ｂに閉じる場合には、錠ケース７の垂直方向のガイド長孔１１及び垂直ガイド板１２を介して、かつ、バネ部材５２のバネ力に抗して錠ケース７内に上下方向へと後退動するラッチ４０を備え、一方、非通電時に作動杆の収縮に伴い回動ロック部材２５がロック解除の方向に回転し、この時引戸１を開く方向Ａへ引くと、錠ケース７のフロントに対して直交すると共に、ラッチ受け部材の係合部４に係合する垂直面４３を有するラッチ４０は、前記ガイド長孔１１に係合するように前記垂直面４３の後退側に設けた一対の突起軸４８を中心にして逃げ方向へ回転することを特徴とする。
【０００９】
また本発明の引戸用電気錠は、引戸１側に取り付けられたラッチ受け部材３と、このラッチ受け部材の係合部４に係脱するラッチ４０を含む施解錠機構Ｘを内蔵し、かつ、戸枠５側に設けられた錠ケース７とから成る引戸用電気錠に於いて、前記施解錠機構Ｘは、駆動源の作動杆２１の伸縮動により回動するように錠ケース７に軸支された回動ロック部材２５と、通電時に前記作動杆の伸張に伴いロック方向に回転する回動ロック部材２５のロックアーム部３１が垂直面４３に当たることにより引戸１を開く方向Ａの力に対して回転が阻止される反面、前記引戸１を閉鎖方向Ｂに閉じる場合には、錠ケース７の垂直方向のガイド長孔１１及び垂直ガイド板１２を介して、かつ、バネ部材５２のバネ力に抗して錠ケース７内に上下方向へと後退動するラッチ４０と、このラッチ４０が後退動する時に前記バネ部材５２のバネ力に抗して回転するように錠ケースの枢軸５１に軸支されたラッチ用押し圧片５０を備え、一方、非通電時に作動杆の収縮に伴い回動ロック部材２５がロック解除の方向に回転し、この時引戸１を開く方向Ａへ引くと、錠ケース７のフロントに対して直交すると共に、ラッチ受け部材の係合部４に係合する垂直面４３を有するラッチ４０は、前記ガイド長孔１１に係合するように前記垂直面４３の後退側に設けた一対の突起軸４８を中心にして逃げ方向へ回転することを特徴とする。
【００１０】
【発明の実施の形態】
以下、図面に示す本発明の実施の形態を、引戸１の上端部或いは上框２に取り付けた金属製のラッチ受け部材３と、このラッチ受け部材３の係合部の複数個の係合凹所と選択的に係脱するラッチを含む施解錠機構Ｘを内蔵し、かつ、望ましくは戸枠５の上枠６内に設けられた錠ケース７との関係で説明する。
【００１１】
まず係合部を有するラッチ受け部材３について説明する。このラッチ受け部材３は引戸１の上框２に水平状態に埋設或いは取付けられる。ラッチ受け部材３の係合部４は、本実施例では引戸１が戸枠５の縦枠８に対して閉じた（閉鎖位置）時にラッチが係合する第１の係合凹所４ａと、引戸１が戸枠５の縦枠８から所望の開放空間９を設定することができるように離れた（開放位置）時にラッチが係合する第２の係合凹所４ｂとから成る。
【００１２】
本発明では、前記開放空間９は、風を入れたいが人の出入りを防止することができる常識的な隙間を意味する。したがって、第２の係合凹所４ｂの数は必ずしも１個に限定する必要はなく、複数個であっても良い。
【００１３】
次に施解錠機構Ｘを内蔵する錠ケース７について説明する。錠ケース７は長箱状に形成され、上述したように戸枠５の上枠６内に設けられている。図３を基準にすると、７ａは前壁、７ｂは後壁、７ｃは左側壁、７ｄは右側壁、７ｅは上壁、７ｆは底壁である。しかして、前壁７ａ及び後壁７ｂには対向する一対の垂直ガイド長孔１１や必要な軸孔が形成されている。前記垂直ガイド長孔１１は錠ケース７の右側壁寄りの部位に形成されている。また前記右側壁７ｄの内壁面の下端部には適当な幅寸法の垂直ガイド板１２が固定的に突設されている。また前記底壁７ｆの下面には錠ケース７の一部を形成する長板状の取付け板１３が固定的に設けられ、この取付け板１３には固着具１６を介してフロント板１４が一体的に取付けられる。このフロント板１４及び取付け板１３の両端部は錠ケース７の左右の側壁７ｃ、７ｄからそれぞれ突出し、かつ、各板の右端部よりの部位には垂直ガイド長孔１１並びに垂直ガイド板１２のそれぞれ位置を考慮してラッチ用貫通孔１５が形成されている。
【００１４】
次に施解錠機構Ｘを構成する各部材について説明する。２０は駆動源の一例としてのソレノイドである。このソレノイド２０は錠ケース７内に横設され、かつ、図示しない接続コードを介して制御装置に接続している。２１はソレノイド２０の作動杆で、この作動杆２１は水平方向に伸縮動するが、本実施例では通電時に伸張し、一方、非通電時は収縮する。しかして、作動杆２１の突出先端部にはやや大径の駆動部２２が設けられ、この駆動部２２の中央部には駆動ピン２３が作動杆と交差する水平方向に突出している。
【００１５】
２５は作動杆２１の伸縮動により回動するように錠ケース７に軸支された回動ロック部材である。回動ロック部材２５は、前記駆動ピン２３を介し、作動杆２１が伸張するとラッチの回転を阻止するロック方向に、一方、作動杆２１が収縮するとラッチの回転を許容するロック解除の方向にそれぞれ回転する。この回動ロック部材２５は、図３又は図５を基準にすると、基本的には前後一対の対向軸受板２６と、この前後一対の対向軸受板２６を作動杆２１の下方の位置で連結する垂直連結板２７とから成る。
【００１６】
しかして、前記対向軸受板２６の上端部は作動杆２１の駆動部２２と外嵌合するように上方に延び、かつ、駆動ピン２３と係合するＵ字状の切欠部２８を有する。また対向軸受板２６の一方の左下端部には突起部２９が形成され、この突起部２９は底壁７ｆに設けられた施解錠信号検出スイッチ３０と接触可能である。さらに、対向軸受板２６の下端部寄りの右側にはやや幅広のロックアーム部３１が突出し、このロックアーム部３１にはラッチの後退側垂直面と当接する水平ローラ３２が設けられている。３３は錠ケースに固定的に設けられた第１の枢軸で
、この枢軸３３は錠ケース７の前壁７ａ及び後壁７ｂと交差する。前記回動ロック部材２５は該枢軸３３に枢支されていると共に、回動ロック部材２５内に設けられかつ該枢軸３３に巻装されたバネ３４により、常時ロック解除の方向に付勢されている。
【００１７】
４０は取付け板１３及びフロント板１４の貫通孔１５から進退動可能に突出するラッチである。このラッチ４０は、ラッチ本体４１と、このラッチ本体４１の錠ケース内に位置する後退部の一側面に固定的に設けられた単数乃至複数個の板状ラッチストッパー４２とから成る。
【００１８】
しかして、前記ラッチ本体４１の外周面には、前述したラッチ受け部材３の係合部４に係止する垂直面４３、引戸１の縁部と摺接するテーパー状摺接面４４、後述の押し圧片が圧接する切欠凹所内の水平受け面４５、この水平受け面４５と垂直面４３の後退側とを結ぶ弧状面４６が含まれる。そして、図２を基準にすると、ラッチ本体４１の前壁及び後壁は、錠ケースの右側壁７ｄの内壁面に当接するように延び、かつ、垂直ガイド板１２と挟むように係合するスライド嵌合板部４７を有する。また前記ラッチストッパー４２は、ラッチ本体４１がフロント板１４から所定量突出するようにラッチ本体４１の後退部の前壁に固定的に設けられ、このラッチストッパー４２の一端部にはラッチ本体４１に形成された突起軸４８用の嵌合孔が形成されている。ラッチ本体４１の突起部には、それぞれ錠ケース７の垂直ガイド孔１１に係合する一対の短い突起軸４８が設けられている。これらの突起軸４８は回動ロック部材２５のロックが解除され、ラッチ４０が回動可能になると支点的な機能を発揮する。なお、前記ラッチストッパー４２は、ラッチ本体４１に強度を付与する意味合いもあり、望ましくはアングル又は段差状に形成されている。また、ラッチ４０の垂直面４３は、錠ケース７のフロント１４に対して直交すると共に、ラッチ受け部材の係合部４に係合する。
【００１９】
５０はラッチ４０を突出方向に押し圧する枠状の押し圧片で、この押し圧片５０は錠ケース７内に水平状態に設けられた第２の枢軸５１に枢支され、かつ、枢軸５１に巻装された第２のバネ５２により常時付勢されている。
【００２０】
しかして、押し圧片５０は、基部が第２の枢軸５１に枢支されたアーム部５０ａと、このアーム部５０ａの自由端部に形成された板状の押し圧部５０ｂとから成り、前記押し圧部５０ｂの先端部はやや折曲されている。また前記第２のバネ５２の一端部は、ラッチ本体４１の水平受け面４５と摺接する押し圧片５０の押し圧部５０ｂに、一方、その他端部は錠ケース７の上壁７ｅの内壁面に圧接している。なお、符号５５は第２のバネ５２用押さえ輪、５６は第１の枢軸３３に螺合する押し圧片５０用規制ボルトである。
【００２１】
上記構成に於いて、まず図６はソレノイド２０が非通電時の状態を示す。この非通電時の状態は、停電時はもちろんであるが、例えば火災など非常時の場合に遠隔制御装置の制御によりなされる。この時ソレノイド２０の作動杆２１は回動ロック部材２５を一方向へ付勢するバネ３４のバネ力により収縮する。作動杆２１が収縮すると、回動ロック部材２５は駆動ピン２３を介し、枢軸３３を支点に反時計方向に回転する。そうすると、回動ロック部材２５のロック水平軸３２がラッチ４０の垂直面４３の後退側から外れ、ラッチ４０のロックが解除される。
【００２２】
そこで、引戸１を開放方向Ａに移動させると、ラッチ４０は突起軸４８を中心に反時計方向に回転する。この時ラッチ４０は第２のバネ５２のバネ力に抗して押し圧片５０を押し上げ、ラッチ受け部材３の係合凹所４から外れる。この時図７でしめすようにラッチ４０が突起軸４８を中心に回転しながら後退動すると、押し圧片５０の板状押圧部５０ｂはラッチ本体４１の水平受け面４５を摺動しながらラッチ本体４１の摺接面４４と水平受け面４５の稜線部に乗り上がる。したがって、引戸１を完全に開放することができる。
【００２３】
次に図８はソレノイド２０が通電時の状態を示す。ソレノイド２０が通電状態になると、本発明の施解錠機構Ｘのラッチ４０は引戸１の開く方向Ａの力に対しては完全にロックされる反面、引戸１を閉じる方向Ｂに対しては後退動可能である。しかして、ソレノイド２０が通電状態になると、作動杆２１は回動ロック部材２５を付勢するバネ３４のバネ力に抗して伸張する。この作動杆２１が伸張すると、回動ロック部材２５は駆動ピン２３を介し、枢軸３３を支点に時計方向に回転する。そうすると、回動ロック部材２５のロック水平軸３２がラッチ４０の垂直面４３の後退側に当接し、これによりラッチ４０の回転は阻止される。
【００２４】
そこで、今仮に図９で示すように引戸１を開放位置から閉鎖方向Ｂに移動させ、かつ、開放空間９を設定しようとする場合に於いては、まず図８で示すように引戸１の上端縁１ａがラッチ４０の摺接面４４に当たり、該ラッチ４０は上端縁１ａにより錠ケース７内へと後退動する。この時ラッチ４０は垂直ガイド孔１１及び垂直ガイド板１２に案内され、かつ、第２のバネ５２のバネ力に抗してそのままストレートに後退する。そして、ラッチ４０が引戸１の上端縁１ａを乗り越えてラッチ受け部材３の第２の係合凹所４ｂに達すると、直ちに押し圧片５０に押されて係合凹所４ｂに落ち込む。この状態に於いて、ラッチ４０は引戸１の開放方向Ａに対しては回動ロック部材２５で回転が阻止され、一方、引戸１の閉鎖方向Ｂに対しては押し圧片５０を押し上げて後退動可能である。したがって、開放空間９を望まない場合は、そのまま引戸１を完全に閉じることもできる。
【００２５】
【実施例】
まず本発明の実施例に於いては、開放空間９は風を入れたいが人の出入りを防止することができる常識的な隙間を意味するので、図１１、図１２で示すようにラッチ受け部材３Ａの第２の係合凹所４ｂは、開放空間９を調整することができるように第１の係合凹所４ａよりも長く設定しても良い。
【００２６】
次に回動ロック部材２５の対向軸受板２６に突出形成されたロックアーム部３１には、ラッチの後退側垂直面と当接する水平ローラ３２が設けられているが、この水平ローラ３２に代え、単なる摺接軸ないし摺接板にしても良い。
【００２７】
さらに、図２で示すように回動ロック部材２５の枢軸３３に規制用環状輪６０を嵌合しても良い。この環状輪６０は錠ケース７の前壁７ａと回動ロック部材２５の対向軸受板２６の一方との間に介在し、回動ロック部材２５が錠ケースの前後にズレないように規制する機能がある。
【００２８】
【発明の効果】
以上の説明から明らかなように、本発明にあっては次に列挙するような効果がある。
（１）請求項１及び請求項６記載の発明では、錠ケースの施解錠機構は、普段は施錠状態を保ち、一方、非常時には施解錠機構を直ちに解錠状態にし、引戸を開放することができる。したがって、本発明の引戸用電気錠は特別養護老人ホームや病院などの引戸用電気錠に適する。
（２）請求項１記載の発明では、駆動源の作動杆２１の伸縮動により回動するように錠ケース７に軸支され、かつ、ラッチ４０の垂直面４３に当たるロックアーム部３１を有する回動ロック部材２５と、通電時前記作動杆の伸張に伴いロック方向に回転する回動ロック部材２５の前記ロックアーム部３１により引戸１を開く方向Ａの力に対して回転が阻止される反面、前記引戸１を閉鎖方向Ｂに閉じる場合はバネ部材５２のバネ力に抗して錠ケース７内に後退動するラッチ４０とを組み合わせているので、施解錠機構を構成する部品点数を極力少なくできる。したがって、錠ケース内のスペースを有効的に活用できる。
（３）請求項２記載の発明は、ロックアーム部３１にラッチ４０の垂直面４３の後退側と当接する水平ローラが設けられているので、通電時に引戸を閉鎖する際は、ラッチ４０はスムースに後退動する。
（４）請求項３記載の発明は、ラッチ４０は所定位置で停止するだけではなく、錠ケース内で「ガタガタ」せず、またスムースに後退動する。
（５）請求項４記載の発明は、換気の目的から、人が通ることができない開放空間を設定することができる。
（６）請求項５記載の発明は、施錠状態で開放空間を設定した場合でも、該引戸を任意に移動させて開放空間を調整することができる。
（７）請求項６記載の発明は、ラッチ用押し圧片５０を構成要件としているので、普通一般のコイルバネ（ネジリバネ）を使用することが可能であり、またラッチは錠ケース内にスムースに回転ないし後退動し、一方、錠ケースから確実に進出する。
（８）請求項１及び請求項６記載の発明は、ラッチを安定的に移動させる機能がある。
【図面の簡単な説明】
図１ないし図１０は本発明の実施の形態を説明するための第１実施例に基づく各説明図。その他の図面は主要部又は要部の他の実施例を示す各説明図である。
【図１】本発明の実施の形態を説明するための概略説明図（引戸を完全に閉鎖した状態）。
【図２】正面から見た一部切欠の説明図。
【図３】図２に於いて、一部断面の説明図。
【図４】斜視から見た分解説明図。
【図５】主要部の斜視から見た分解説明図。
【図６】ロックが解除され、引戸がＡ方向へ移動可能になった説明図。
【図７】図６に於いて、引戸をＡ方向へ移動した場合の説明図。
【図８】ロック状態に於いて、引戸をＢ方向へ移動する場合の説明図。
【図９】図８に於いて、引戸をＢ方向へ移動した場合の説明図。
【図１０】本発明の実施の形態を説明するための概略説明図（開放空間を設定し、引戸を開くことはできないが、閉めることは可能である。）。
【図１１】ラッチ受け部材の他の実施例を示す概略断面説明図。
【図１２】図１１に於ける本発明の実施の形態を説明するための概略説明図（開放空間を設定した場合、その空間を調整可能である。）。
【符号の説明】
１…引戸、２…上框、３、３Ａ…ラッチ受け部材、４…係合凹所、４ａ…第１の係合凹所、４ｂ…第２の係合凹所、５…戸枠、６…上枠、７…錠ケース、８…縦枠、９…開放空間、１１…垂直ガイド孔、１２…垂直ガイド板、１３…取付け板、１４…フロント板、Ｘ…施解錠機構、２０…駆動源、２１…作動杆、２３…駆動ピン、２５…回動ロック部材、２６…対向軸受板、２７…垂直連結板、２８…切欠部、２９…突起部、３０…施解錠信号検出スイッチ、３１…ロックアーム部、３２…ロック水平軸、３３、５１…枢軸、３４、５２…バネ、４０…ラッチ、４１…ラッチ本体、４２…ラッチストッパー、４３…垂直面、４４…摺接面、４５…水平受け面、４６…弧状面、４７…スライド嵌合板部、４８…突起軸、５０…押し圧片、５０ａ…アーム部、５０ｂ…押し圧部、６０…環状輪。Ａ…開放方向、Ｂ…閉鎖方向。
【図１】
0003784453.tif 000002
【図２】
0003784453.tif 000003
【図３】
0003784453.tif 000004
【図４】
0003784453.tif 000005
【図５】
0003784453.tif 000006
【図６】
0003784453.tif 000007
【図７】
0003784453.tif 000008
【図８】
0003784453.tif 000009
【図９】
0003784453.tif 000010
【図１０】
0003784453.tif 000011
【図１１】
0003784453.tif 000012
【図１２】
0003784453.tif 000013